(57)【要約】【課題】ＳＣＡＲＴ端子を有するテレビジョン受像機において、ユーザが特定の入力切替え操作を行ったときに、不良な映像が表示されることを確実に防止する。【解決手段】制御部は、アンテナから入力されるＲＦ信号が映像信号処理部に入力されている状態か否かを判定し（Ｓ１）、ユーザによる入力の選択がＳＣＡＲＴ入力モード（ＳＣＡＲＴ端子からの入力信号が映像信号処理部に送られる状態）に変更されたか否かを判定する（Ｓ２）。Ｓ２でＹＥＳの場合、制御部は、ユーザが特定切替え操作を行ったと判断して、表示部をブラックバックに切替え（Ｓ３）、同期信号の入力ラインをオフして同期信号検出回路を一時的に不能動とした上で（Ｓ４）、入力の切替えを行い（Ｓ５）、能動に戻した後（Ｓ６）、ブラックバックを解除する（Ｓ７）。同期信号検出回路は、一時的な不能動を経た後に同期検出を行うので、微弱な映像信号に対しては正しく同期信号無しと判定する。【選択図】図３
2009094969.tif 000002
【特許請求の範囲】
【請求項１】
ＲＦ（Ｒａｄｉｏ  Ｆｒｅｑｕｅｎｃｙ）信号入力端子から入力されるＲＦ信号を映像信号に変換して出力する受信回路と、
ケーブルを介して外部機器と接続され、該外部機器からの映像信号を入力可能であると共に、前記受信回路に接続され、前記受信回路が出力する映像信号を出力可能な入出力端子と、
映像信号に含まれる同期信号を検出することによって同期信号の有無を判定する同期信号検出機能を有する映像信号処理部と、
前記受信回路の出力端子と、前記入出力端子とを切替え自在に前記映像信号処理部へ接続する切替え接続部と、
ユーザによる切替え操作に基づいて前記切替え接続部を切替え動作させる制御部と、
前記映像信号処理部から出力される映像信号を映像として表示する表示部と、を備えたテレビジョン受像機において、
前記制御部は、
前記切替え接続部が、前記受信回路の出力端子と前記映像信号処理部とを接続する状態であるときに前記受信回路の出力端子に映像信号が出力されているか否かを判定する映像信号有無判定手段と、
前記映像信号有無判定手段により映像信号が出力されていると判定された場合に、ユーザによって、前記受信回路の出力端子を前記映像信号処理部へ接続する状態から、前記入出力端子を前記映像信号処理部へ接続する状態へ切替える操作（以下、特定切替え操作という）が行われたか否かを判定する切替え判定手段と、
前記切替え判定手段により前記特定切替え操作が行われたと判定された場合に、前記映像信号処理部の同期信号検出機能を一時的に不能動にする同期信号検出不能動化手段と、を備え、
ユーザによって前記特定切替え操作が行われたときに、前記映像信号処理部の同期信号検出機能を一時的に不能動にしてから、前記受信回路の出力端子を前記映像信号処理部へ接続する状態から、前記入出力端子を前記映像信号処理部へ接続する状態への切替えを行うことを特徴とするテレビジョン受像機。
【請求項２】
前記同期信号検出不能動化手段は、前記映像信号処理部の同期信号検出回路への信号入力ラインを不導通にすることによって同期信号検出機能を不能動にすることを特徴とする請求項１に記載のテレビジョン受像機。
【請求項３】
前記制御部は、
前記同期信号検出不能動化手段によって前記映像信号処理部の同期信号検出機能を一時的に不能動にする直前に、前記映像信号処理部から前記表示部へ出力する信号をブラックバック信号へ切替え、前記同期信号検出機能を能動に戻した後に該切替えを元へ戻すブラックバックオンオフ手段を、さらに備えることを特徴とする請求項１、又は請求項２に記載のテレビジョン受像機。
【請求項４】
前記入出力端子がＳＣＡＲＴ（Ｓｙｎｄｉｃａｔ  ｄｅｓ  Ｃｏｎｓｔｒｕｃｔｅｕｒｓ  ｄ  Ａｐｐａｒｅｉｌｓ  Ｒａｄｉｏｒｅｃｅｐｔｅｕｒｓ  ｅｔ  Ｔｅｌｅｖｉｓｅｕｒｓ）端子であることを特徴とする請求項１乃至請求項３のいずれかに記載のテレビジョン受像機。
【発明の詳細な説明】
【技術分野】
【０００１】
本発明は、テレビジョン受像機に関し、詳しくは、ＳＣＡＲＴ端子等の、外部機器からの映像信号を入力可能であると共に、テレビジョン受像機内の受信回路からの映像信号を出力可能な入出力端子を有するテレビジョン受像機に関する。
【背景技術】
【０００２】
従来から、ビデオカセットレコーダ等の外部機器が出力する映像信号を入力可能であり、かつ、該外部機器へと映像信号を出力可能なＳＣＡＲＴ端子を有するテレビジョン受像機が知られている（例えば、特許文献１参照）。
【０００３】
なお、上記ＳＣＡＲＴ端子は、映像入力、音声入力等の複数の入力ピンと、映像出力、音声出力等の複数の出力ピンとを有し、１本のケーブル（ＳＣＡＲＴケーブル）によって外部機器と接続される。該ＳＣＡＲＴケーブルは、１本のケーブルで信号の入出力が可能であるので、テレビジョン受像機、ＤＶＤプレーヤ、衛星放送受信機等の複数のＡＶ機器を直列に接続することができる（例えば、特許文献２参照）。
【特許文献１】特開２００１−４５３９０号公報
【特許文献２】特表２００６−５２６３２０号公報
【発明の開示】
【発明が解決しようとする課題】
【０００４】
ＳＣＡＲＴケーブルは、上記のように、ケーブル内に入力用のラインと出力用のラインを備えるので、ＳＣＡＲＴ端子を有するテレビジョン受像機（以下、テレビという）にあっては、１本のＳＣＡＲＴケーブルを用いて複数のＡＶ機器を簡単に接続することができるという長所を有している。ところが、ＳＣＡＲＴ端子を有する従来のテレビでは、ユーザが、テレビを、アンテナ線からのＲＦ信号の入力モードから、ＳＣＡＲＴ端子からの信号の入力モードに切替えを行ったときに、該ＳＣＡＲＴ端子にＡＶ機器が全く接続されていない状態であっても、テレビの表示画面に微弱な映像信号による不良な映像が表示される不具合が生じる場合があった。ユーザによっては上記不具合を誤ってテレビの故障、又は製品不良と判断する場合があった。
【０００５】
そこで、本発明の発明者は、上記不具合が発生する原因について種々検討し、主に次の２つの事象が関係していることを突き止めた。第一には、ＳＣＡＲＴケーブルは、同一のケーブル内に出力ラインと入力ラインを共に有するために、ＳＣＡＲＴ端子に接続されたＳＣＡＲＴケーブル内において映像信号の出力ラインから映像信号の入力ラインへと映像信号の漏れ込みが発生していること、第二には、上記のようにしてテレビへの入力ラインに漏れ込んだ映像信号について、テレビの映像信号処理部（マイクロプロセッサ）が、微弱な信号であるにも拘わらず、ユーザが特定の入力切替え操作を行ったときには、同期信号有りと誤判定してしまうことである。
【０００６】
上記特定の入力切替え操作とは、ユーザが、テレビを、アンテナ線からのＲＦ信号の入力モードから、ＳＣＡＲＴ端子からの信号の入力モードに切替える操作であり、上記第二の事象が生じる原因は、映像信号処理部が、アンテナ線からのＲＦ信号の入力モードにおいて、一旦正常な強度の映像信号が入力されて同期信号有りの判定を行うと、その後に映像信号の強度が低下しても継続して同期信号有りと判定する傾向があるためであると考えられる。
【０００７】
ここで、上記第一の事象が生じないようにするためには、ＳＣＡＲＴケーブル内の出力ラインと入力ラインの絶縁性を高めることが考えられるが、ケーブルの材料を絶縁性の高いものに変更することはコストアップになる可能性が高い上に、映像信号の漏れ込みを完全に防止することは困難である。
【０００８】
また、上記第二の事象が生じないようにするためには、マイクロプロセッサから構成される映像信号処理部の同期信号検出機能を、映像信号の強度が連続性を保ちながら低下したときには同期信号無しと判定するように改良しなければならないが、その場合には、同期信号を検出する感度自体を低下させてしまうとか、映像信号処理部以外の処理機能に影響を及ぼす等の予期しない支障が生じる虞がある。
【０００９】
そこで、本発明は、外部機器からの映像信号を入力可能であると共に、本テレビジョン受像機が有する受信回路が出力する映像信号を出力可能な入出力端子と、前記受信回路の出力端子と前記入出力端子とを切替え自在に映像信号処理部へ接続する切替え接続部と、を備えるテレビジョン受像機において、切替え接続部を制御する制御部のソフトウェアを変更することによって、コストアップを招くことなく、ユーザが特定の入力切替え操作を行ったときの表示画面に不良な映像が表示されることを確実に防止できるテレビジョン受像機を提供することを目的とする。
【課題を解決するための手段】
【００１０】
上記目的を達成するために、請求項１の発明は、ＲＦ（Ｒａｄｉｏ  Ｆｒｅｑｕｅｎｃｙ）信号入力端子から入力されるＲＦ信号を映像信号に変換して出力する受信回路と、ケーブルを介して外部機器と接続され、該外部機器からの映像信号を入力可能であると共に、前記受信回路に接続され、前記受信回路が出力する映像信号を出力可能な入出力端子と、映像信号に含まれる同期信号を検出することによって同期信号の有無を判定する同期信号検出機能を有する映像信号処理部と、前記受信回路の出力端子と、前記入出力端子とを切替え自在に映像信号処理部へ接続する切替え接続部と、ユーザによる切替え操作に基づいて前記切替え接続部を切替え動作させる制御部と、前記映像信号処理部から出力される映像信号を映像として表示する表示部と、を備えたテレビジョン受像機において、前記制御部は、前記切替え接続部が、前記受信回路の出力端子と前記映像信号処理部とを接続する状態であるときに前記受信回路の出力端子に映像信号が出力されているか否かを判定する映像信号有無判定手段と、前記映像信号有無判定手段により映像信号が出力されていると判定された場合に、ユーザによって、前記受信回路の出力端子を前記映像信号処理部へ接続する状態から、前記入出力端子を前記映像信号処理部へ接続する状態へ切替える操作（以下、特定切替え操作という）が行われたか否かを判定する切替え判定手段と、前記切替え判定手段により前記特定切替え操作が行われたと判定された場合に、前記映像信号処理部の同期信号検出機能を一時的に不能動にする同期信号検出不能動化手段と、を備え、ユーザによって前記特定切替え操作が行われたときに、前記映像信号処理部の同期信号検出機能を一時的に不能動にしてから、前記受信回路の出力端子を前記映像信号処理部へ接続する状態から、前記入出力端子を前記映像信号処理部へ接続する状態への切替えを行うことを特徴とする。
【００１１】
請求項２の発明は、請求項１の発明において、前記同期信号検出不能動化手段は、前記映像信号処理部の同期信号検出回路への信号入力ラインを不導通にすることによって同期信号検出機能を不能動にすることを特徴とする。
【００１２】
請求項３の発明は、請求項１、又は請求項２の発明において、前記制御部は、前記同期信号検出不能動化手段によって前記映像信号処理部の同期信号検出機能を一時的に不能動にする直前に、前記映像信号処理部から前記表示部へ出力する信号をブラックバック信号へ切替え、前記同期信号検出機能を能動に戻した後に該切替えを元へ戻すブラックバックオンオフ手段を、さらに備えることを特徴とする。
【００１３】
請求項４の発明は、請求項１乃至請求項３のいずれかの発明において、前記入出力端子がＳＣＡＲＴ（Ｓｙｎｄｉｃａｔ  ｄｅｓ  Ｃｏｎｓｔｒｕｃｔｅｕｒｓ  ｄ  Ａｐｐａｒｅｉｌｓ  Ｒａｄｉｏｒｅｃｅｐｔｅｕｒｓ  ｅｔ  Ｔｅｌｅｖｉｓｅｕｒｓ）端子であることを特徴とする。
【発明の効果】
【００１４】
請求項１及び請求項２の発明によれば、ユーザによって特定の切替え操作が行われたときに、映像信号処理部の同期信号検出機能を一時的に不能動にしてから、受信回路の出力端子を映像信号処理部へ接続する状態から、入出力端子を映像信号処理部へ接続する状態への切替えを行うので、コストアップを招くことなしに、ユーザが特定の切替え操作を行ったときにテレビの表示部の画面に不良な映像が表示されることを確実に防止することができる。
【００１５】
請求項３の発明によれば、制御部が映像信号処理部の同期信号検出機能を一時的に不能動にする直前に表示部の画面をブラックバックに切替え、同期信号検出機能を能動に戻した後にブラックバックを解除するので、表示部に砂嵐状のノイズ画面が表示されることも防止できる。
【発明を実施するための最良の形態】
【００１６】
以下、本発明の一実施形態について、図１乃至図３を参照して説明する。本実施形態のテレビ１は、図１に示されるように、アンテナ２に接続されたＲＦ信号入力端子３と、ＲＦ信号入力端子３を介して入力されたＲＦ信号に中間周波増幅等の処理を施して映像信号に変換する受信回路４と、ＳＣＡＲＴケーブル５ａ、５ｂを介してＤＶＤプレーヤ、ビデオカセットレコーダ等の外部機器６を接続可能なＳＣＡＲＴ端子（入出力端子）７ａ、７ｂと、ＲＦ信号入力端子３と各ＳＣＡＲＴ端子７ａ、７ｂとを切替え自在に映像信号処理部８へ接続する切替え接続部９と、切替え接続部９を制御する制御部１１と、映像信号処理部８から出力された信号を映像として表示する液晶パネル、ＣＲＴ等からなる表示部１２と、を備える。本実施形態では、ＳＣＡＲＴ端子７ａ、７ｂは２個設けられている。
【００１７】
各ＳＣＡＲＴ端子７ａ、７ｂは、受信回路４から出力される映像信号の出力ライン１３に接続された出力ピン１４ａ、１４ｂと、外部機器６から入力される映像信号の入力ピン１５ａ、１５ｂと、を備え、各ＳＣＡＲＴ端子７ａ、７ｂに接続されるＳＣＡＲＴケーブル５ａ、５ｂは、それぞれのケーブル内に、出力ピン１４ａ、１４ｂに接続される映像信号の出力ライン５ａｏｕｔ、５ｂｏｕｔと、入力ピン１５ａ、１５ｂに接続される映像信号の入力ライン５ａｉｎ、５ｂｉｎとを有する。
【００１８】
切替え接続部９は、切替え側の端子として３つの端子１６、１７、１８を有し、端子１６には、受信回路４から出力される映像信号の出力ライン１３が接続され、端子１７、１８には各ＳＣＡＲＴ端子７ａ、７ｂの入力ピン１５ａ、１５ｂが接続される。また、被切替え側の端子１９には映像信号処理部８が接続され、端子１９に選択的に接続される３つの端子１６，１７、１８は、制御部１１によって適宜のタイミングで切替えられる。制御部１１による切替え制御の詳細は後述する。なお、受信回路４から出力される映像信号の出力ライン１３が映像信号処理部８に接続される状態をアンテナ入力モードと称し、ＳＣＡＲＴ端子７ａ、７ｂの入力ピン１５ａ、１５ｂから入力される映像信号が映像信号処理部８に接続される状態を、それぞれＳＣＡＲＴ入力モードＡ、ＳＣＡＲＴ入力モードＢと称する。
【００１９】
映像信号処理部８は、図２に示されるように、切替え接続部９を介して入力される映像信号に増幅処理、色信号処理、同期信号分離処理等を施す信号処理部２１と、映像信号に含まれる同期信号の有無を検出する同期信号検出回路２２と、ブラックバック信号発生回路２３と、を備え、信号処理部２１から同期信号検出回路２２への信号入力ライン２４に設けられたオンオフスイッチ２５が制御部１１によってオンオフ制御され、オンオフスイッチ２５がオフされたときには同期信号検出回路２２が不能動になるように構成されている。また、信号処理部２１から表示部１２への出力ラインには、切替えスイッチ２６が設けられ、該切替えスイッチ２６が制御部１１によって切替えられることによって、信号処理部２１からの出力信号が表示部１２に送られる状態と、ブラックバック信号発生回路２３からのブラックバック信号が表示部１２に送られる状態とが切替えられるように構成されている。
【００２０】
制御部１１は、マイクロプロセッサから構成され、図１に示されるように、リモコン受光部２７に接続されて、ユーザがリモコン２８を操作することによって送信される操作指示信号を受信し、受信した操作指示信号に対応する制御信号を切替え接続部９、及び映像信号処理部８へ出力する。例えば、ユーザがリモコン２８を操作して入力の切替えを指示したときには、入力の切替え信号が制御部１１に入力され、制御部１１は、切替え接続部９に対して切替え信号を出力して３つの端子１６、１７、１８のうち切替え信号に応じたいずれかの端子が端子１９に接続されるように切替える。
【００２１】
次に、ユーザが上記のような入力の切替え操作を行ったときに制御部１１が行う処理について、図３のフローチャートを参照して説明する。ユーザによる入力の切替え操作が行われたときに、制御部１１は、まず、アンテナ入力モードが選択されているか否かを判定する（Ｓ１）。具体的には、制御部１１は、切替え接続部９が、端子１９に対して受信回路４からの出力ライン１３の端子１６が接続されている状態か否かを判定すると共に、同期信号検出回路２２によって同期信号が検出されているか否か（受信回路４から実際に映像信号が出力されているか否か）を確認する。
【００２２】
Ｓ１においてアンテナ入力モードが選択されており、かつ同期信号有りが確認された場合には（Ｓ１でＹＥＳ）、ユーザによって選択された入力モードが、ＳＣＡＲＴ入力モードＡ、又はＳＣＡＲＴ入力モードＢであるか否かが判定される（Ｓ２）。
【００２３】
Ｓ２においてＳＣＡＲＴ入力モードＡ、又はＳＣＡＲＴ入力モードＢが選択されたと判定された場合には（Ｓ２でＹＥＳ）、制御部１１は、切替えスイッチ２６を切替えて表示部１２にブラックバック信号発生回路２３を接続して、表示部１２の画面をブラックバックに切替える（Ｓ３）。
【００２４】
次に、制御部１１は、オンオフスイッチ２５をオフして同期信号検出回路２２を不能動にした上で（Ｓ４）、切替え接続部９へ切替え信号を出力してＳＣＡＲＴ端子７ａの入力ピン１５ａ、又はＳＣＡＲＴ端子７ｂの入力ピン１５ｂのいずれかが映像信号処理部８へ接続されるように接続を切替える（Ｓ５）。ここで、ＳＣＡＲＴケーブル５ａ、５ｂの出力ライン５ａｏｕｔ、５ｂｏｕｔから入力ライン５ａｉｎ、５ｂｉｎへの映像信号の漏れ込みｍ（図１参照）によって、微弱な映像信号が入力ピン１５ａ、１５ｂ、及び切替え接続部９を介して映像信号処理部８に入力されるが、表示部１２の画面はブラックバックのままである。
【００２５】
そして、切替えが終了した後に、制御部１１は、オンオフスイッチ２５をオンして同期信号検出回路２２を能動に戻し（Ｓ６）、切替えスイッチ２６を切替えて表示部１２に信号処理部２１からの映像信号出力を接続して、ブラックバックを解除すると共に表示部１２の画面に信号処理部２１からの映像を表示させる（Ｓ７）。
【００２６】
ここで、同期信号検出回路２２は、一旦不能動とされ、再び能動に戻された後に映像信号処理部８へ入力される微弱な映像信号について同期信号の有無を判定することになるので、本来的に同期信号無しと判定する程度に微弱な映像信号に対しては、正しく同期信号無しと判定する。従来装置の場合には、同期信号検出回路２２は、一旦不能動とされることなく連続的に判定を行うので、一旦正常な強度の同期信号を受信して同期信号有りと判定した後に、映像信号が減衰した場合には、同期信号有りの判定を継続し、表示部１２の画面に微弱な映像信号による不良な映像が表示される。
【００２７】
上記同期信号検出回路２２の検出動作について、表示部１２の画面に表示される映像に関連付けてさらに説明する。いま、ＳＣＡＲＴケーブル５ａの他端には何も接続されておらず、ＳＣＡＲＴケーブル５ｂの他端にはＤＶＤプレーヤ等の外部機器６が接続されている場合を想定する（図１）。この場合には、ＳＣＡＲＴ端子７ａの入力ピン１５ａには出力ライン５ａｏｕｔからの漏れ込みによる微弱な映像信号が入力され、ＳＣＡＲＴ端子７ｂの入力ピン１５ｂには外部機器６からの正常な強度の映像信号が入力される。
【００２８】
上記の状態で、ユーザがアンテナ入力モードからＳＣＡＲＴ入力モードＡへの切替え操作（特定切替え操作）を行った場合、表示画面がブラックバックに切替り、同期信号検出回路２２は、正しく同期信号無しと判定するので、制御部１１は、入力の切替え処理（図３のＳ１〜Ｓ７）を終了した以後も表示部１２をブラックバックのまま継続する。従って、表示部１２の画面に微弱な映像信号による不良な映像が表示されることがない。
【００２９】
他方、ユーザがアンテナ入力モードからＳＣＡＲＴ入力モードＢへの切替え操作（請求項における特定切替え操作）を行った場合、表示画面がブラックバックに切替り、同期信号検出回路２２は、正しく同期信号有りと判定するので、ブラックバックが解除された後、表示部１２には外部機器６からの正常な映像が表示される。
【００３０】
以上のように、本実施形態のテレビ１によれば、ユーザが入力の特定切替え操作を行ったときに、切替えたＳＣＡＲＴ端子７ａ、７ｂに外部機器が接続されていない場合に、ケーブル５ａ、５ｂ内での漏れ込みによる微弱な映像信号に起因する不良な映像が表示されることが防止される。また、制御部１１が入力の切替え処理を行う間、表示部１２の画面はブラックバックに切替えられるので、砂嵐状のノイズ画面が表示されることも防止される。なお、外部機器６が接続可能な端子としては、ＳＣＡＲＴ端子７ａ、７ｂに限られず、接続されるケーブル内に入力ラインと出力ラインを共に有するものであって、受信回路４からの映像信号が出力ラインから出力されるタイプの入出力端子であればよい。
【図面の簡単な説明】
【００３１】
【図１】本発明の一実施形態に係るテレビジョン受像機のブロック図。
【図２】同テレビジョン受像機における映像信号処理部のブロック図。
【図３】同テレビジョン受像機における入力切替え処理のフローチャート。
【符号の説明】
【００３２】
１  テレビジョン受像機
３  ＲＦ信号入力端子
４  受信回路
５ａ、５ｂ  ＳＣＡＲＴケーブル（ケーブル）
６  外部機器
７ａ、７ｂ  ＳＣＡＲＴ端子（入出力端子）
８  映像信号処理部
９  切替え接続部
１１  制御部（映像信号有無判定手段、切替え判定手段、同期信号検出不能動化手段、ブラックバックオンオフ手段）
１２  表示部
２２  同期信号検出回路
２３  ブラックバック信号発生回路
２４  信号入力ライン
２５  オンオフスイッチ
２６  切替えスイッチ
【図１】
2009094969.tif 000003
【図２】
2009094969.tif 000004
【図３】
2009094969.tif 000005